(57)【要約】【課題】色の調子の不連続性などを避けつつ、ある色表現領域から別の色表現領域に高精度な写像を行うことのできる色変換定義を作成する色変換定義作成方法、色変換定義作成装置、および色変換定義作成プログラムを提供することを目的とする。【解決手段】第１のデバイスに依存した第１の色空間と第２のデバイスに依存した第２の色空間との間の等色な座標変換を定義した第１の色変換定義を取得する色変換定義取得過程と、等色な座標変換よりも階調欠陥が少ない座標変換を定義した第２の色変換定義を生成する色変換定義生成過程と、第１の色変換定義と第２の色変換定義とを、第２のデバイスによって色が表現可能な色表現領域の端側では第２の色変換定義を優先し、その色表現領域の内側では第１の色変換定義を優先して合成する色変換定義合成過程とを有する。【選択図】        図１４ 
2005318391.tif 000002
【特許請求の範囲】
【請求項１】
第１のデバイスに依存した第１の色空間と、第２のデバイスに依存した第２の色空間との間の座標変換を定義した色変換定義を作成する色変換定義作成方法において、
前記第１の色空間と前記第２の色空間との間の等色な座標変換を定義した第１の色変換定義を取得する色変換定義取得過程と、
前記第１の色変換定義によって定義された座標変換よりも階調欠陥が少ない座標変換を定義した第２の色変換定義を生成する色変換定義生成過程と、
前記第１の色変換定義と前記第２の色変換定義とを、前記第２のデバイスによって色が表現可能な色表現領域の端側では該第２の色変換定義を優先し、該色表現領域の内側では該第１の色変換定義を優先して合成する色変換定義合成過程とを有することを特徴とする色変換定義作成方法。
【請求項２】
前記色変換定義合成過程は、前記色表現領域における、彩度が相対的に高い高彩度領域部分では、前記第２の色変換定義を優先して合成する過程であることを特徴とする請求項１記載の色変換定義作成方法。
【請求項３】
前記色変換定義合成過程は、前記色表現領域における、明度が相対的に低い低明度領域部分では、前記第２の色変換定義を優先して合成する過程であることを特徴とする請求項１記載の色変換定義作成方法。
【請求項４】
前記色表現領域内の領域部分を指定する領域部分指定過程を有し、
前記色変換定義合成過程は、前記領域部分指定過程で指定された領域部分では、前記第１の色変換定義と前記第２の色変換定義とを、予め決められた割合で合成する過程であることを特徴とする請求項１記載の色変換定義作成方法。
【請求項５】
前記第１の色空間で色が表現された、画像を表わす画像データを取得する画像取得過程と、
前記画像取得過程で取得された画像データが表わす画像の色の分布において、前記色表現領域外に食み出す色の割合を取得する色割合取得過程とを有し、
前記色変換定義合成過程は、前記色割合取得過程で取得された色の割合が大きいほど、前記第２の色変換定義を優先して合成する過程であることを特徴とする請求項１記載の色変換定義作成方法。
【請求項６】
第１のデバイスに依存した第１の色空間と、第２のデバイスに依存した第２の色空間との間の座標変換を定義した色変換定義を作成する色変換定義作成装置において、
前記第１の色空間と前記第２の色空間との間の等色な座標変換を定義した第１の色変換定義を取得する色変換定義取得部と、
前記第１の色変換定義によって定義された座標変換よりも階調欠陥が少ない座標変換を定義した第２の色変換定義を生成する色変換定義生成部と、
前記第１の色変換定義と前記第２の色変換定義とを、前記第２のデバイスによって色が表現可能な色表現領域の端側では該第２の色変換定義を優先し、該色表現領域の内側では該第１の色変換定義を優先して合成する色変換定義合成部とを備えたことを特徴とする色変換定義作成装置。
【請求項７】
コンピュータ内で実行され、該コンピュータに、第１のデバイスに依存した第１の色空間と、第２のデバイスに依存した第２の色空間との間の座標変換を定義した色変換定義を作成させる色変換定義作成プログラムにおいて、該コンピュータ上で、
前記第１の色空間と前記第２の色空間との間の等色な座標変換を定義した第１の色変換定義を取得する色変換定義取得部と、
前記第１の色変換定義によって定義された座標変換よりも階調欠陥が少ない座標変換を定義した第２の色変換定義を生成する色変換定義生成部と、
前記第１の色変換定義と前記第２の色変換定義とを、前記第２のデバイスによって色が表現可能な色表現領域の端側では該第２の色変換定義を優先し、該色表現領域の内側では該第１の色変換定義を優先して合成する色変換定義合成部とを構成すること特徴とする色変換定義作成プログラム。
【発明の詳細な説明】
【技術分野】
【０００１】
本発明は、ある色空間上の座標で色が表現された画像データを別の色空間上の座標で色が表現された画像データに変換するための色変換定義を作成する色変換定義作成方法、色変換定義作成装置、および色変換定義作成プログラムに関する。
【背景技術】
【０００２】
従来、用紙上に記録された画像を読み取って画像データを得るカラースキャナや、固体撮像素子上に被写体の画像を結像して読み取ることにより画像データを得るデジタルカメラなど、画像を入力して画像データを得る、様々なタイプの入力デバイスが知られている。これらの入力デバイスでは、画像データは、例えばＲ（レッド），Ｇ（グリーン），Ｂ（ブルー）３色それぞれについて０〜２５５等の決まった範囲の数値で表わされ、この数値の範囲は、入力デバイスがハードウェアとして取り扱うことができる色の範囲を表わしている。しかし、この色の範囲は、人間が認識可能な全色空間には及ばない。このため、もともとの原画像の色が極めて豊かな表現を持っていたとしても、一旦入力デバイスを用いて画像データに変換すると、その画像データによって表わされる画像は、その入力デバイスに依存した入力色空間内のある色表現領域内の色に制限されることになる。
【０００３】
また、画像データに基づいて画像を出力する出力デバイスについても、例えば、印画紙をレーザ光で露光して現像することにより印画紙上に画像を記録する写真プリンタ、電子写真方式やインクジェット方式などを適用して用紙上に画像を記録するプリンタ、輪転機を回して多量の印刷物を作成する印刷機、画像データに基づいて表示画面上に画像を表示するＣＲＴディスプレイやプラズマディスプレイなどといった画像表示装置等、様々なタイプの出力デバイスが知られているが、これらの出力デバイスについても上述の入力デバイスと同様、各出力デバイスに応じた色表現領域が存在する。すなわち、出力デバイスは、例えば、Ｒ，Ｇ，Ｂ３色を表現する画像データやＣ（シアン），Ｍ（マゼンタ），Ｙ（イエロー），Ｋ（黒）の４色を表現する画像データに基づいて様々な色を表現することができるが、その表現できる色は、出力デバイスに依存した出力色空間（例えばＲＧＢ空間、ＣＭＹＫ空間等）のある色表現領域内（例えば、ＲＧＢそれぞれについて０〜２５５の範囲の数値で表わされる色表現領域内等）に制限される。このような入力デバイスや出力デバイスにおける色表現領域は、カラーガマットと称される。以下では、入力デバイスにおける色表現領域を入力ガマットと称し、出力デバイスにおける色表現領域を出力ガマットと称する。
【０００４】
また、例えば、ある１つの画像データ（例えば（Ｒ，Ｇ，Ｂ）＝（５０，１００，２００）を表わす画像データ）であっても、その画像データに基づいて得られる画像の色は出力デバイスの種類により異なる。この点は、入力デバイスと出力デバイスとの間でも同様であり、ある入力デバイスで得られた（Ｒ，Ｇ，Ｂ）＝（５０，１００，２００）の画像データをそのまま用いてある出力デバイスで画像を出力しても、入力デバイスで入力される原画像の色と出力デバイスで出力された画像の色は一般には一致しない。したがって、ある入力デバイスで原画像を読み取って画像データを得、その画像データを基にして、ある出力デバイスで原画像を再現しようとしたとき、入力デバイスで得られた画像データをそのまま出力デバイスに送るのではなく、その間で画像データを変換する必要がある。ここでは、画像の色に着目しており、この画像データの変換を色変換と称する。
【０００５】
上述したように、色表現領域（カラーガマット）は各デバイスによって異なるとともに、数値上同一の画像データであっても、各デバイスにおいて表現される色はそれぞれに異なっている。そこで、色変換を行うにあたっては、デバイスには依存しない共通色空間、例えば、Ｌ*ａ*ｂ*色空間等を中間に置き、入力デバイスによって得られた入力色空間上の画像データを共通色空間上の画像データに変換してその共通色空間上でガマットマッピングを行い、そのガマットマッピングを行った後の画像データを、出力デバイスに依存した出力色空間上の画像データに変換するという手法が採用されている。
【０００６】
尚、共通色空間上でガマットマッピングを行う際に、入力色空間の座標を共通色空間の座標に変換したときに、出力ガマットが共通色空間上に写像された共通出力ガマットから食み出してしまう座標のみを単純に共通出力ガマット内にマッピングしてしまうと、色の調子が不連続になってしまうなどという不都合が生じる。
【０００７】
このような色の調子の不連続性を解決する方法として、特許文献１には、共通色空間上に写像された入力ガマット（共通入力ガマット）内に第１の基準点を設け、共通色空間上に写像した出力ガマット（共通出力ガマット）内に第１の基準点に対応する第２の基準点を求めて、それら第１の基準点と第２の基準点との差分を表わす基本差分ベクトルを使ってガマットマッピングを行う方法について記載されており、特許文献２には、共通入力ガマットの稜線を、明度に関する関数や彩度に関する関数などといった滑らかな複数の関数によって順次に変形させて、共通出力ガマットの稜線にフィットさせる方法について記載されている。
【０００８】
しかし、特許文献１に記載されている方法によると、色の調子の不連続性は改善されるが、共通入力ガマットと共通出力ガマットの形状が大きく異なる場合には、色変換後の画像にトーンジャンプなどが生じてしまうという問題がある。
【０００９】
また、特許文献２に記載されている方法は、それぞれの関数による個々の変換に問題はなくても、それら複数の変換を順次に行っていくことによって歪みが生じ、結果として、色変換後の画像の印象が不自然になってしまう恐れがある。
【００１０】
このように、共通色空間でのガマットマッピングは、例えば、Ｌ*ａ*ｂ*色空間上ではＬ*軸、ａ*軸、ｂ*軸の３軸からなる３次元空間上でのマッピングであり、自由度が大きくいかようにもマッピングを行うことができるが、その反面、自由度が大きすぎて、マッピング後の画像にトーンジャンプや階調つぶれなどが生じてしまったり、複数の変換を経て生じた歪みによって、見た目に不自然な印象を与える画像となってしまうことも多い。
【００１１】
一方、最終的に必要な画像データは出力デバイスに依存した出力色空間における画像データであることから、入力色空間上の画像データを直接に出力色空間上の画像データに変換し、その出力色空間（例えば、ＲＧＢ色空間）上でガマットマッピングを行う方法が提案されている（例えば、特許文献３参照）。この出力色空間でのガマットマッピングでは、共通色空間での中間的な処理が介在されずに直接に色変換が行われるため、ガマットマッピングによる色処理の効果を人間が理解しやすいと考えられる。
【００１２】
しかしながら、出力色空間でのガマットマッピングは、その出力色空間を規定する、例えばＲ，Ｇ，Ｂの３軸それぞれについて独立に１次元的にマッピングを行うのが基本であるため自由度が低く、Ｒ，Ｇ，Ｂそれぞれについて例えば０〜２５５にクリップして色表現領域（ガマット）の境界（Ｒ，Ｇ，Ｂそれぞれについて０〜２５５の数値の立方体の表面）にマッピングする程度の手法にとどまっている。このように色表現領域外の座標を単純にクリップしてしまうと、特に色表現領域の境界近傍については、階調つぶれなどが生じてしまう不具合を解決することができない。
【００１３】
この点に関し、出力色空間におけるガマットマッピングの方法ではないが、特許文献４には、ある色空間における複数の部分領域について予め色変換を決めておき、色変換が未定義である領域をモーフィングによって部分領域から滑らかに変化させていく方法について説明されている。例えば、入力色空間における複数の部分領域を出力色空間上の複数の部分領域それぞれに変換する色変換を予め決めておき、それら部分領域以外の領域における色変換をこの特許文献４に記載された方法で導くことにより、マッピングによる階調つぶれなどを軽減させることができると考えられる。
【特許文献１】特開平１１−２８１０２８号公報
【特許文献２】特開２００２−０３３９２９号公報
【特許文献３】特開平６−２５３１３９号公報
【特許文献４】特開平２−２１４２６６号公報
【発明の開示】
【発明が解決しようとする課題】
【００１４】
しかし、この特許文献４に記載された方法においては、部分領域の境界条件に基づいて反復的に収束演算がなされるが、その境界条件や収束条件によっては、歪みが集中する領域ができてしまうという問題がある。また、この特許文献４の方法を出力色空間でのガマットマッピングに適用する場合、入力色空間内のどの領域を部分領域として扱うかが重要となるが、この特許文献４には部分領域の決定方法等については特に記載されていない。
【００１５】
本発明は、上記事情に鑑み、色の調子の不連続性や、不自然な印象の画像となってしまうというなどといった不都合を避けつつ、ある色表現領域から別の色表現領域に高精度な写像を行うことのできる色変換定義を作成する色変換定義作成方法、色変換定義作成装置、および色変換定義作成プログラムを提供することを目的とする。
【課題を解決するための手段】
【００１６】
上記目的を達成する本発明の色変換定義作成方法は、第１のデバイスに依存した第１の色空間と、第２のデバイスに依存した第２の色空間との間の座標変換を定義した色変換定義を作成する色変換定義作成方法において、
第１の色空間と第２の色空間との間の等色な座標変換を定義した第１の色変換定義を取得する色変換定義取得過程と、
第１の色変換定義によって定義された座標変換よりも階調欠陥が少ない座標変換を定義した第２の色変換定義を生成する色変換定義生成過程と、
第１の色変換定義と第２の色変換定義とを、第２のデバイスによって色が表現可能な色表現領域の端側では第２の色変換定義を優先し、色表現領域の内側では第１の色変換定義を優先して合成する色変換定義合成過程とを有することを特徴とする。
【００１７】
ここで、本発明にいう等色とは、色度値が一致する測色的な等色であってもよく、順応変換を経た、人間の知覚的な等色であってもよい。
【００１８】
本発明の色変換定義作成方法によると、第１の色変換定義と第２の色変換定義とが、第１のデバイスの色表現領域（以下では、第１ガマットと称する）と第２のデバイスの色表現領域（以下では、第２ガマットと称する）との共通領域にあたる第２ガマットの内側では、変換後の色の等色性が重視された第１の色変換定義が優先され、第１ガマットと第２ガマットとの共通領域から外れてしまって階調つぶれ等が生じやすい第２ガマットの境界付近においては、滑らかな階調性が重視された第２の色変換定義が優先されて合成される。このようにして合成された色変換定義を用いて色変換を行うことによって、第１の色空間の画像データを、その画像データが表わす色と等色（あるいは近い色）な色を表わす第２の色空間上の画像データに階調性を保って変換することができ、調子の不連続性や、不自然な印象の画像となってしまうというなどといった不具合を軽減することができる。
【００１９】
また、本発明の色変換定義作成方法において、上記色変換定義合成過程は、色表現領域における、彩度が相対的に高い高彩度領域部分では、第２の色変換定義を優先して合成する過程であることが好ましい。
【００２０】
高彩度領域部分は、色表現領域における境界近傍の領域部分にあたり、トーンジャンプや階調つぶれなどが生じやすい。したがって、この高彩度領域部分は階調性を重視した第２の色変換定義を優先して合成することが好ましい。
【００２１】
また、本発明の色変換定義作成方法において、上記色変換定義合成過程は、色表現領域における、明度が相対的に低い低明度領域部分では、第２の色変換定義を優先して合成する過程であることが好適である。
【００２２】
例えば、カラー画像を生成する上でグレーは重要な色の１つであり、彩度が相対的に低い低彩度領域部分に相当するグレーの領域部分においては、等色性が重視された第１の色変換定義を優先して合成することが好ましい。しかし、明度が低く、暗いグレーの場合には、色味の違いが見た目にはほとんど認識できないため、等色性よりも階調性の方が重要となる。この好適な形態の色変換定義作成方法によると、暗い色の低明度領域部分においては、階調性が重視された第２の色変換定義が優先して合成されるため、見た目に色味の違いを認識させずに階調性を向上させることができる。
【００２３】
また、本発明の色変換定義作成方法において、色表現領域内の領域部分を指定する領域部分指定過程を有し、
色変換定義合成過程は、領域部分指定過程で指定された領域部分では、第１の色変換定義と第２の色変換定義とを、予め決められた割合で合成する過程であることが好ましい。
【００２４】
例えば、肌の色や空の色などといった画像の印象を決定する重要な色の領域部分は、等色性を重視した第１の色変換定義を優先して合成するなどというように、色表現領域内の指定された領域部分については、第１の色変換定義と第２の色変換定義とを予め決められた割合で合成することによって、見た目に好ましい色変換を行う色変換定義を作成することができる。
【００２５】
また、本発明の色変換定義作成方法において、第１の色空間で色が表現された、画像を表わす画像データを取得する画像取得過程と、
画像取得過程で取得された画像データが表わす画像の色の分布において、色表現領域外に食み出す色の割合を取得する色割合取得過程とを有し、
色変換定義合成過程は、色割合取得過程で取得された色の割合が大きいほど、第２の色変換定義を優先して合成する過程であることが好ましい。
【００２６】
第２ガマットから食み出してしまって、第２のデバイスでは表現することのできない色の割合が大きい画像は、第２の色変換定義を優先して合成することによって、階調性が保たれた高精度な色変換を行うことができる。
【００２７】
また、上記目的を達成する本発明の色変換定義作成装置は、第１のデバイスに依存した第１の色空間と、第２のデバイスに依存した第２の色空間との間の座標変換を定義した色変換定義を作成する色変換定義作成装置において、
第１の色空間と第２の色空間との間の等色な座標変換を定義した第１の色変換定義を取得する色変換定義取得部と、
第１の色変換定義によって定義された座標変換よりも階調欠陥が少ない座標変換を定義した第２の色変換定義を生成する色変換定義生成部と、
第１の色変換定義と第２の色変換定義とを、第２のデバイスによって色が表現可能な色表現領域の端側では第２の色変換定義を優先し、色表現領域の内側では第１の色変換定義を優先して合成する色変換定義合成部とを備えたことを特徴とする。
【００２８】
尚、本発明の色変換定義作成装置には、本発明の色変換定義作成方法の各種態様に対応する各種態様全てが含まれる。
【００２９】
また、上記目的を達成する本発明の色変換定義作成プログラムは、コンピュータ内で実行され、そのコンピュータに、第１のデバイスに依存した第１の色空間と、第２のデバイスに依存した第２の色空間との間の座標変換を定義した色変換定義を作成させる色変換定義作成プログラムにおいて、コンピュータ上で、
第１の色空間と第２の色空間との間の等色な座標変換を定義した第１の色変換定義を取得する色変換定義取得部と、
第１の色変換定義によって定義された座標変換よりも階調欠陥が少ない座標変換を定義した第２の色変換定義を生成する色変換定義生成部と、
第１の色変換定義と前記第２の色変換定義とを、第２のデバイスによって色が表現可能な色表現領域の端側では第２の色変換定義を優先し、色表現領域の内側では第１の色変換定義を優先して合成する色変換定義合成部とを構成すること特徴とする。
【００３０】
本発明の色変換定義作成プログラムをコンピュータ内で実行させることによって、そのコンピュータを上記のような色変換定義作成装置として動作させることができる。
【００３１】
また、上記本発明の色変換定義作成装置と、上記色変換定義作成プログラムとでは、それらを構成する構成要素名として、色変換定義生成部などといった互いに同一の名称を付しているが、色変換定義作成プログラムの場合は、そのような作用をなすソフトウェアを指し、色変換定義作成装置の場合は、ハードウェアを含んだものを指している。
【００３２】
さらに、本発明の色変換定義作成プログラムを構成する色変換定義生成部などといった構成要素は、１つの構成要素の機能が１つのプログラム部品によって担われるものであってもよく、１つの構成要素の機能が複数のプログラム部品によって担われるものであってもよく、複数の構成要素の機能が１つのプログラム部品によって担われるものであってもよい。また、これらの構成要素は、そのような作用を自分自身で実行するものであってもよく、あるいは、コンピュータに組み込まれている他のプログラムやプログラム部品に指示を与えて実行させるものであっても良い。
【発明の効果】
【００３３】
本発明によれば、色の調子の不連続性や、不自然な印象の画像となってしまうというなどといった不都合を避けつつ、ある色表現領域から別の色表現領域に高精度な写像を行うことのできる色変換定義を作成する色変換定義作成方法、色変換定義作成プログラムを提供することができる。
【発明を実施するための最良の形態】
【００３４】
以下、本発明の実施形態について説明する。
【００３５】
図１は、本発明の一実施形態が適用された画像入力−色変換−画像出力システムの全体構成図である。
【００３６】
ここには、カラースキャナ１０が示されており、そのカラースキャナ１０では原稿画像１１が読み取られてＲＧＢ３色の画像データが生成される。このカラースキャナ１０は、本発明にいう第１のデバイスの一例にあたり、カラースキャナ１０の色空間（ここでは、ＲＧＢ色空間）は、本発明にいう第１の色空間の一例に相当する。生成されたＲＧＢの画像データはパーソナルコンピュータ２０に入力される。パーソナルコンピュータ２０では、カラースキャナ１０で得られた画像データが、後述するカラープリンタ３０に適した画像出力用のＲＧＢ３色の画像データに変換される。この画像出力用の画像データは、カラープリンタ３０に入力され、そのカラープリンタ３０では、入力された画像データに基づくプリント出力が行われて、プリント画像３１が形成される。カラープリンタ３０は、本発明にいう第２のデバイスの一例にあたり、カラープリンタ３０の色空間（ここでは、ＲＧＢ色空間）は、本発明にいう第２の色空間の一例に相当する。
【００３７】
ここで、このパーソナルコンピュータ２０は、本発明にいう色変換定義作成装置の一実施形態を兼ねており、このパーソナルコンピュータ２０では、あらかじめ色変換定義（本実施形態においては、色変換プロファイル）が作成される。カラースキャナ１０で得られた画像データがカラープリンタ３０用の画像データに変換される際には、作成された色変換プロファイルが参照される。この色変換プロファイルの作成方法については後述する。
【００３８】
この図１に示すシステムにおける、本発明の一実施形態としての特徴は、パーソナルコンピュータ２０の内部で実行される処理内容にあり、以下、このパーソナルコンピュータ２０について説明する。
【００３９】
図２は、図１に１つのブロックで示すパーソナルコンピュータの外観斜視図、図３はそのパーソナルコンピュータのハードウェア構成図である。
【００４０】
このパーソナルコンピュータ２０は、外観構成上、本体装置２１、その本体装置２１からの指示に応じて表示画面２２ａ上に画像を表示する画像表示装置２２、本体装置２１にキー操作に応じた各種の情報を入力するキーボード２３、および、表示画面２２ａ上の任意の位置を指定することにより、その位置に表示された、例えばアイコン等に応じた指示を入力するマウス２４を備えている。この本体装置２１は、外観上、フレキシブルディスク（以下では、ＦＤと省略する）を装填するためのＦＤ装填口２１ａ、およびＣＤ−ＲＯＭを装填するためのＣＤ−ＲＯＭ装填口２１ｂを有する。
【００４１】
本体装置２１の内部には、図３に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、ＦＤ１００が装填され、その装填されたＦＤ１００をアクセスするＦＤドライブ２１４、ＣＤ−ＲＯＭ１１０をアクセスするＣＤ−ＲＯＭドライブ２１５、図１のカラースキャナ１０と接続され、カラースキャナ１０から画像データを受け取る入力インタフェース２１６、図１のカラープリンタ３０と接続され、カラープリンタ３０に画像データを送る出力インタフェース２１７が内蔵されており、これらの各種要素と、さらに図２にも示す画像表示装置２２、キーボード２３、およびマウス２４は、バス２５を介して相互に接続されている。
【００４２】
ここで、ＣＤ−ＲＯＭ１１０には、このパーソナルコンピュータ２０を本発明の色変換定義作成装置の一実施形態として動作させるための色変換定義作成プログラムが記憶されており、そのＣＤ−ＲＯＭ１１０はＣＤ−ＲＯＭドライブ２１５に装填され、そのＣＤ−ＲＯＭ１１０に記憶された色変換定義作成プログラムがこのパーソナルコンピュータ２０にアップロードされてハードディスク装置２１３に記憶される。こうして、パーソナルコンピュータ２０は本発明の色変換定義作成装置の一実施形態として動作する。
【００４３】
続いて、この図１のパーソナルコンピュータ２０内で実行される、色変換定義作成プログラムについて説明する。
【００４４】
図４は、本発明の色変換定義作成プログラムの一実施形態が記憶されたＣＤ−ＲＯＭを示す概念図である。
【００４５】
色変換定義作成プログラム３００は、色変換定義取得部３１０、色変換定義生成部３２０、領域部分指定部３３０、および色変換定義合成部３４０で構成されている。この色変換定義取得部３１０は、本発明の色変換定義作成プログラムにおける色変換定義取得部の一例に相当し、同様に、色変換定義生成部３２０は、本発明の色変換定義作成プログラムにおける色変換定義生成部の一例、領域部分指定部３３０は、本発明の色変換定義作成プログラムにおける領域部分指定部の一例、色変換定義合成部３４０は、本発明の色変換定義作成プログラムにおける色変換定義合成部の一例にそれぞれ相当する。
【００４６】
色変換定義作成プログラム３００の各部の細部については、本発明の一実施形態である色変換定義作成装置の各部の作用と併せて説明する。
【００４７】
図５は、この色変換定義作成プログラム３００を図１のパーソナルコンピュータ２０にインストールし、パーソナルコンピュータ２０を本発明の色変換定義作成装置の一実施形態として動作させるときの色変換定義作成装置４００の機能ブロック図である。
【００４８】
色変換定義作成装置４００は、色変換定義取得部４１０、色変換定義生成部４２０、領域部分指定部４３０、および色変換定義合成部４４０を備えている。
【００４９】
図４に示す色変換定義作成プログラム３００を図１〜図３に示すパーソナルコンピュータ２０にインストールすると、色変換定義作成プログラム３００の色変換定義取得部３１０は図５に示す色変換定義取得部４１０を構成し、同様に、色変換定義生成部３２０は色変換定義生成部４２０を構成し、領域部分指定部３３０は領域部分指定部４３０を構成し、色変換定義合成部３４０は色変換定義合成部４４０を構成する。
【００５０】
色変換定義取得部４１０は、図１に示すカラースキャナ１０に依存した入力色空間（ＲＧＢ色空間）と、カラープリンタ３０に依存した出力色空間（ＲＧＢ色空間）との間の等色な座標変換が定義された等色プロファイル４１１を取得する。この等色プロファイル４１１は、本発明にいう第１の色変換定義の一例にあたり、色変換定義取得部４１０は、本発明の色変換定義作成装置における色変換定義取得部の一例に相当する。
【００５１】
色変換定義生成部４２０は、等色プロファイル４１１によって定義された座標変換よりも階調性に優れた座標変換が定義された階調プロファイル４２１を生成する。この階調プロファイル４２１は、本発明にいう第２の色変換定義の一例にあたり、色変換定義生成部４２０は、本発明の色変換定義作成装置における色変換定義生成部の一例に相当する。
【００５２】
領域部分指定部４３０は、図２に示すキーボード２３やマウス２４がその役割を担うものであり、オペレータからの指示によって、カラープリンタ３０で表現可能な色表現領域（出力ガマット）内の領域部分を指定する。この領域部分指定部４３０は、本発明の色変換定義作成装置における領域部分指定部の一例に相当する。
【００５３】
色変換定義合成部４４０は、等色プロファイル４１１と階調プロファイル４２１とを、出力ガマットの境界近傍は階調プロファイル４２１を優先し、出力ガマットの内側では等色プロファイルを優先し、領域部分指定部４３０で指定された領域部分は、予め決められた割合で合成する。これら等色プロファイル４１１と階調プロファイル４２１とを合成して得られた色変換プロファイル４４１は、本発明にいう色変換定義の一例にあたり、色変換定義合成部４４０は、本発明の色変換定義作成装置における色変換定義合成部の一例に相当する。
【００５４】
図１のカラースキャナ１０で読み取られた入力画像データは、色変換定義合成部４４０によって生成された色変換プロファイル４４１に従ってカラープリンタ３０用の出力画像データに変換される。
【００５５】
色変換定義作成装置４００は、基本的には以上のように構成されている。
【００５６】
図６は、図５の色変換定義作成装置によって色変換プロファイルが作成される一連の処理を示すフローチャートである。以下では、図６のフローチャートを使って、色変換プロファイルを生成する一連の処理について説明する。
【００５７】
まず、図５の色変換定義取得部４１０において、等色プロファイル４１１が取得される（図６のステップＳ１１）。
【００５８】
等色プロファイル４１１は、入力色空間とデバイス非依存の共通色空間との間の座標変換が定義された入力プロファイルと、出力色空間と共通色空間との間の座標変換が定義された出力プロファイルとが結合されて構成されている。これらプロファイルは、図１に示すカラースキャナ１０やカラープリンタ３０を製造しているメーカ等から提供されることが多いが、ここでは、入力／出力プロファイル、および等色プロファイル４１１を新たに作成する場合の基本的な作成方法について説明する。尚、入力／出力プロファイルを作成する際に用いられる共通色空間の一例であるＬ*ａ*ｂ*色空間は、特に青方向において、Ｌ*ａ*ｂ*色空間上の色相角と人間の知覚的な色相とがずれているという不都合がある。この色相のずれは、共通色空間としてＬｕｖ色空間を使うことによって改善されるが、メーカ等から提供される入力／出力プロファイルではＬ*ａ*ｂ*色空間が用いられることが一般的であるため、以下では、共通色空間としてＬ*ａ*ｂ*色空間を適用する場合について説明する。
【００５９】
図７、図８、図９は、入力プロファイル、出力プロファイル、および等色プロファイルの概念図である。
【００６０】
図７には、入力プロファイルの概念図が示されている。入力プロファイルを生成するときには、図１に示す原稿画像１１に代えて、多数の色パッチからなるカラーパッチ画像１１ａを用意し、そのカラーパッチ画像１１ａをカラースキャナ１０で読み取って、各色パッチごとのＲＧＢ色空間上の色データを得るとともに、そのカラーパッチ画像１１ａを測色計で測色して、各色パッチについて、例えば、共通色空間の一例であるＬ*ａ*ｂ*色空間上の座標を表わす色データを得る。これらＲＧＢ色空間上の色データ（座標値）と、Ｌ*ａ*ｂ*色空間上の色データ（座標値）とを対応付けることによって入力プロファイルが得られる。この入力プロファイルは、カラースキャナ１０の種類や、さらに一般的には入力デバイスの種類によってそれぞれ異なる、入力デバイスに依存したプロファイルである。
【００６１】
図８には、出力プロファイルの概念図が示されている。出力プロファイルを生成する際には、図１に示すパーソナルコンピュータ２０から、ＲＧＢ３色の色データとして、Ｒ，Ｇ，Ｂそれぞれの値を順次変化させた色データを生成し、そのようにして発生させた色データに基づくカラーパッチ画像３１ａをプリント出力する。さらに、カラーパッチ画像３１ａを構成する各色パッチを測色計で測色する。こうすることにより、ＲＧＢ３色の色空間上の座標値と共通色空間（Ｌ*ａ*ｂ*色空間）上の座標値との対応関係を表わす出力プロファイルが構築される。この出力プロファイルは、出力デバイスに応じてそれぞれ異なる、出力デバイスに依存したプロファイルである。
【００６２】
以上のようにして生成された、あるいは、メーカ等から提供された入力プロファイルと出力プロファイルとが結合されて、等色プロファイル４１１が生成される。ここで、カラースキャナ１０で表現される白および黒が、カラープリンタ３０で表現される白および黒と測色的に大きく異なる場合には、入力／出力プロファイルが結合される前に、カラースキャナ１０とカラープリンタ３０それぞれによって表現される白および黒の色合わせ（順応変換）が行われる。
【００６３】
図１０は、Ｌ*ａ*ｂ*空間におけるカラースキャナ１０の色表現領域およびカラープリンタ３０の色表現領域を示している。
【００６４】
本実施形態においては、入力色空間および出力色空間ともに同じＲＧＢ色空間であるが、カラースキャナ１０の色表現領域５１１ａ（以下では、共通入力ガマット５１１ａと称する）とカラープリンタ３０の色表現領域５２１ａ（以下では、共通出力ガマット５２１ａと称する）は大きく異なっている。ここでは、コンクリース変換（Ｖｏｎ  Ｋｒｉｅｓ変換）を応用した順応変換が行われる。すなわち、カラースキャナ１０で画像データに変換される前の原稿画像１１で表現される白（原稿画像１１の用紙の色）に相当する座標点Ｗ1と、原稿画像１１として表現することのできる黒（例えば原稿画像１１がＲ，Ｇ，Ｂ３色それぞれに発色するリバーサルフィルムのとき、Ｒ，Ｇ，Ｂそれぞれが最も高濃度に発色した状態）に相当する座標点Ｋ1が、それぞれカラープリンタ３０で出力されるプリント画像３１の白（そのプリント画像の用紙の色）に相当する座標点Ｗ3とそのカラープリンタ３０で出力することのできる黒（例えばそのカラープリンタ３０がＲ，Ｇ，Ｂ３色のインクで画像出力を行なうプリンタの場合、Ｒ，Ｇ，Ｂの各色のインクを最大量使って印刷した状態）に相当する座標点Ｋ3に一致するように座標変換が行なわれる。
【００６５】
先ず、図１０のパート（Ａ）に示す、カラースキャナ１０の共通入力ガマット５１１ａとカラープリンタ３０の共通出力ガマット５２１ａを、図１０のパート（Ｂ）に示すように、各黒点Ｋ1，Ｋ2が原点Ｏ（理論上の黒点）に一致するように平行移動する。これにより、カラースキャナ１０の共通入力ガマット５１１ｂの黒点Ｋ1とカラープリンタ３０の共通出力ガマット５２１ｂの黒点Ｋ3とが一致する。
【００６６】
次に、この平行移動後の、カラースキャナ１０の共通入力ガマット５１１ｂの白点Ｗ1が、平行移動後の、カラープリンタ３０の共通出力ガマット５２１ｂの白点Ｗ3に一致するように、すなわち図１０のパート（Ｂ）の直線Ｌ1が直線Ｌ3に一致するように、カラースキャナの共通入力ガマット５１１ｂ全体について回転及び伸縮を伴う座標変換が行なわれる。
【００６７】
図１０のパート（Ｃ）は、この回転及び伸縮を伴う座標変換を行なった後の状態を示しており、カラースキャナの共通入力ガマットは、図１０のパート（Ｂ）に示す共通入力ガマット５１１ｂから図１０のパート（Ｃ）に示す共通入力ガマット５１１ｃのように変換される。このとき、カラースキャナ１０の共通入力ガマットの白点Ｗ1は、カラープリンタ３０の共通出力ガマットの白点Ｗ3に一致する。
【００６８】
その後、図１０のパート（Ｄ）に示すように、カラースキャナ１０の共通入力ガマット５１１ｃを、カラープリンタ３０のもともとの共通出力ガマット、すなわち図１０のパート（Ａ）に示す、カラープリンタ３０の共通出力ガマット５２１ａの白点Ｗ3，黒点Ｋ3に一致する位置まで平行移動する。
【００６９】
こうすることにより、白点Ｗ1，黒点Ｋ1がカラープリンタ３０の白点Ｗ3，黒点Ｋ3にそれぞれ一致した、カラースキャナの共通入力ガマット５１１ｄを得ることができる。
【００７０】
以上の操作を式で示すと、以下のようになる。図１０は、Ｌ*ａ*ｂ*空間における色表現領域を示したが、コンクリース変換やそのコンクリース変換を応用した上記の順応変換はＸＹＺ空間で実行されることが多く、ここではＸＹＺ空間を想定して説明する。このＸＹＺ空間の各座標点はＬ*ａ*ｂ*空間の各座標点とも対応する共通色空間の１つである。
【００７１】
図１０のパート（Ａ）に示すカラースキャナの共通入力ガマット５１１ａの白点Ｗ1，黒点Ｋ1のＸＹＺ座標をそれぞれ（ＬＸＷ1，ＬＹＷ1，ＬＺＷ1），（ＬＸＫ1，ＬＹＫ1，ＬＺＫ1）とし、図１０のパート（Ａ）に示すカラープリンタの共通出力ガマット５２１ａの白点Ｗ3，黒点Ｋ3のＸＹＺ座標をそれぞれ（ＬＸＷ3，ＬＹＷ3，ＬＺＷ3），（ＬＸＫ3，ＬＹＫ3，ＬＺＫ3）としたとき、図１０のパート（Ｂ）に示す各白点Ｗ1，Ｗ3に相当するＸＹＺ座標（ＬＸＷ1’，ＬＹＷ1’，ＬＺＷ1’），（ＬＸＷ3’，ＬＹＷ3’，ＬＺＷ3’）を、各式
ＬＸＷ1’＝ＬＸＷ1−ＬＸＫ1
ＬＹＷ1’＝ＬＹＷ1−ＬＹＫ1
ＬＺＷ1’＝ＬＺＷ1−ＬＺＫ1          ……（１）
ＬＸＷ3’＝ＬＸＷ3−ＬＸＫ3
ＬＹＷ3’＝ＬＹＷ3−ＬＹＫ3
ＬＺＷ3’＝ＬＺＷ3−ＬＺＫ3          ……（２）
により求め、白点Ｗ1（ＬＸＷ1’，ＬＹＷ1’，ＬＺＷ1’）が白点Ｗ3（ＬＸＷ3’，ＬＹＷ3’，ＬＺＷ3’）に一致するように回転及び伸縮するためのコンクリース（Ｖｏｎ  Ｋｒｉｅｓ）マトリックスを作成する。
【００７２】
ここでは、このコンクリースマトリックスを、
ＶＫ＝［ＭＴＸVK］        ……（３）
と表記する。このコンクリースマトリックスは３行×３列のマトリックスとなる。
【００７３】
次に、カラースキャナ１０に依存したＲＧＢ空間内の座標点がＬ*ａ*ｂ*空間に写像され、さらにＸＹＺ空間に変換された（あるいは、カラースキャナ１０に依存したＲＧＢ空間から直接にＸＹＺ空間に写像された）多数の座標点を代表させて（Ｘ，Ｙ，Ｚ）で表わすと、
この（Ｘ，Ｙ，Ｚ）が
Ｘ１＝Ｘ−ＬＸＫ1
Ｙ１＝Ｙ−ＬＹＫ1
Ｚ１＝Ｚ−ＬＺＫ1          ……（４）
により黒点補正（図１０のパート（Ｂ）参照）がなされ、次に
【００７４】
【数１】
2005318391.tif 000003
【００７５】
によりコンクリース変換が行なわれ（図１０のパート（Ｃ）参照）、次に
Ｘ’＝Ｘ２−ＬＸＫ3
Ｙ’＝Ｙ２−ＬＹＫ3
Ｚ’＝Ｚ２−ＬＺＫ3          ……（５）
により、黒点をカラープリンタの黒点に一致させるための補正（図１０のパート（Ｄ）参照）が行なわれる。
【００７６】
以上の演算を全ての座標点について行なうことにより、Ｌ*ａ*ｂ*空間で表わしたときの図１０のパート（Ａ）に示すカラースキャナ１０の共通入力ガマット５１１ａが、白点、黒点がカラープリンタ３０の共通出力ガマット５２１ａの白点、黒点にそれぞれ一致した、図１０のパート（Ｄ）に示す共通入力ガマット５１１ｄに変換される。
【００７７】
上記の順応変換をＸＹＺ空間で行なうと、順応変換前の黒点（図１０のパート（Ａ）の黒点Ｋ1，Ｋ3）の座標（Ｘ，Ｙ，Ｚ）がほぼ（０，０，０）に近く、したがって黒点の補正は数値を僅かに変化させるだけであって、（１）式，（２）式に従って白点の座標を移動させてもその移動量は僅かで済み、ＸＹＺ空間内の広い領域を使って順応変化を行なうことができる点で有利であるが、この順応変化は、必ずしもＸＹＺ空間で行なわなければならない訳でなく、Ｌ*ａ*ｂ*空間で行なってもよく、あるいはその他の共通色空間で行なってもよい。
【００７８】
また、ここでは、白点と黒点との双方をそれぞれ一致させる順応変換について説明したが、色変換の精度は多少落ちるものの、簡単的には、黒点は考慮せずに白点のみ一致させるように順応変換を行なってもよい。
【００７９】
この白点のみ一致させる順応変換は、図１０を参照して説明すると、図１０のパート（Ａ）に示す直線Ｌ1’が直線Ｌ3’に一致するとともに白点Ｗ1が白点Ｗ3に一致するような座標変換をいい、数式的には、（１）式，（２）式のように黒点の座標を引き算することなく、白点Ｗ1（ＬＸＷ1，ＬＹＷ1，ＬＺＷ1）が白点Ｗ3（ＬＸＷ3，ＬＹＷ3，ＬＺＷ3）に一致するように回転及び伸縮するためのコンクリースマトリックスを求め、（４）式のように、黒点の座標を引き算することなく、そのコンクリースマトリックスを使って（Ｘ，Ｙ，Ｚ）をそのまま変換することを意味する。
【００８０】
さらに、この順応変換は、例えばＣＲＴディスプレイ表示画面上の‘白’はかなり青みかかった白であり、そのＣＲＴディスプレイ表示画面に表示された画像をプリント出力する必要があるときのような、測色的にかなり離れた白を持つデバイス間での色変換の場合に必要となるが、例えば白い用紙上に記録された画像を図１に示す原稿画像１１としてカラースキャナ１０で画像データを得、カラープリンタ３０でも白い用紙上に画像を出力する場合のような、双方の‘白’がほぼ一致している場合、この順応変換は省略してもかまわない。
【００８１】
以上のような順応変換が入力プロファイル上の全ての座標点について実行され、白点と黒点が補正された入力プロファイルが生成される。
【００８２】
白黒点補正が施された入力プロファイルが生成されると、図９に示すように、補正後の入力プロファイルと出力プロファイルとが結合されて、等色プロファイル４１１が生成される。ただし、図１０に示すように、カラースキャナ１０の入力ガマットとカラープリンタ３０の出力ガマットとが一般的には一致しないため、入力色空間の座標と出力色空間の座標とを単純に対応付けられない領域が生じる。例えば、カラースキャナ１０が原稿画像１１をＲ，Ｇ，Ｂそれぞれについて０〜２５５の範囲の数値を表わす画像データに変換するものとし、カラープリンタ３００が０〜２５５の範囲の数値で表わされた画像データに基づいてプリント画像３１をプリント出力するものとすると、入力色空間上の画像データを出力色空間上の画像データに変換する際に、変換後の画像データの値が（Ｒ，Ｇ，Ｂ）＝（−１００，２６０，２００）などというように、数値範囲外の値になってしまうことがある。ここでは、Ｒ，Ｇ，Ｂそれぞれについて、例えば、（Ｒ，Ｇ，Ｂ）＝（−１００，２６０，２００）という画像データは、（Ｒ，Ｇ，Ｂ）＝（０，２５０，２００）に置き換えるというように、２５５より大きい値は２５５に、マイナスの値は０に単純にクリップされる。
【００８３】
以上のようにして生成された等色プロファイル４１１を用いて色変換処理を行うと、入力ガマットと出力ガマットとの共通領域内の画像データについては、入力色空間上の入力画像データを、その入力画像データが表わす画像の色と等色な画像を表わす出力色空間上の出力画像データに精度良く変換することができるが、共通領域外の画像データについては、階調がつぶれてしまう。尚、ここでは、入力／出力プロファイルから等色プロファイル４１１を作成する例について説明したが、一般的に出回っている色変換プロファイルを等色プロファイルとして取得してもよい。
【００８４】
図６のステップＳ１１における等色プロファイルが取得される過程は、本発明の色変換定義作成方法における色変換定義取得過程の一例に相当する。
【００８５】
等色プロファイル４１１が取得されると、続いて、図５の色変換定義生成部４２０において、階調プロファイル４２１が生成される。
【００８６】
階調プロファイル４２１を生成する際には、まず、等色プロファイル４１１の場合と同様の順応変換が行われ（図６のステップＳ１２）、カラースキャナ１０とカラープリンタ３０の白黒点が補正される。
【００８７】
順応変換が終了すると、続いて、入力色空間内に入力基準線が設定される（図６のステップＳ１３）。
【００８８】
図１１は、入力色空間（ＲＧＢ色空間）を示す模式図である。
【００８９】
ここでは、カラースキャナ１０に依存した入力色空間６００内の複数の点を結んだ入力基準線が設定される。この入力基準線は、入力色空間６００上のいずれの直線あるいは曲線であってもよいが、色の調子の不連続性などといった不都合が生じることが多い、色空間の境界線を入力基準線として設定することが好ましい。本実施形態においては、入力色空間６００の８頂点のうちの隣り合う２頂点をそれぞれ結ぶ、入力色空間６００を取り囲む１２本の境界線が入力基準線として設定されるものとする。
【００９０】
入力色空間６００内の相互に異なる２点をそれぞれ点Ｐ0（Ｒ0，Ｇ0，Ｂ0）、点Ｐ1（Ｒ1，Ｇ1，Ｂ1）とすると、それら点Ｐ0と点Ｐ1とを結ぶ入力基準線上の任意の点Ｐ（Ｒ，Ｇ，Ｂ）は、変数ｔ（０≦ｔ≦１）を用いて以下のように示される。
【００９１】
Ｒ＝（１−ｔ）×Ｒ0＋ｔ×Ｒ1
Ｇ＝（１−ｔ）×Ｇ0＋ｔ×Ｇ1
Ｂ＝（１−ｔ）×Ｂ0＋ｔ×Ｂ1          ……（６）
説明の便宜上、以下では上記１２本の入力基準線のうち頂点ＰK（０，０，０）と頂点ＰR（２５５，０，０）とを結んだ入力基準線Ｋ−Ｒについて代表して説明する。入力基準線Ｋ−Ｒにおいては、頂点ＰKは点Ｐ0、頂点ＰRは点Ｐ1にそれぞれ相当し、入力基準線Ｋ−Ｒ上の任意の点Ｐ（Ｒ，Ｇ，Ｂ）は、上記式（６）によってそれぞれ以下のように表わされる。
【００９２】
Ｒ＝（１−ｔ）×０＋ｔ×２５５＝ｔ×２５５
Ｇ＝（１−ｔ）×０＋ｔ×０＝０
Ｂ＝（１−ｔ）×０＋ｔ×０＝０          ……（６）’
入力基準線が設定されると、入力基準線上の座標と、その座標によって表現される色となるべく近い色を表現する、色の階調性が保たれた出力色空間の座標との近似対応関係が生成される（図６のステップＳ１４）。
【００９３】
まずは、入力基準線上の各座標と、入力基準線が出力色空間に等色に写像されてなる出力基準線上の各座標との等色対応関係が取得される。ここで、本発明にいう「等色」とは、色度値が一致する測色的な等色だけでなく、上述した順応変換を経た、見た目に同じ色を表わす生理的な等色であってもよい。
【００９４】
上記式（６）’において、変数ｔを所定間隔Δｔずつｔ＝０，ｔ1，ｔ2，…，ｔn，１と変化させたときの入力基準線上の各座標Ｐ（Ｒ，Ｇ，Ｂ）が取得される。
【００９５】
続いて、入力基準線上の各座標Ｐ（Ｒ，Ｇ，Ｂ）が図７に示す入力プロファイルを使ってＬ*ａ*ｂ*色空間上の各座標に変換され、変換されたＬ*ａ*ｂ*色空間上の各座標が前述の順応変換を経て、さらに図８に示す出力プロファイルによって出力色空間の各座標Ｐ’（Ｒ’，Ｇ’，Ｂ’）に変換される。これら出力色空間の各座標Ｐ’（Ｒ’，Ｇ’，Ｂ’）を結んだ出力基準線は、入力基準線が出力色空間上に等色に写像されたものである。
【００９６】
以上のようにして得られた入力基準線上の各座標Ｐ（Ｒ，Ｇ，Ｂ）と、出力基準線上の各座標Ｐ’（Ｒ’，Ｇ’，Ｂ’）とが対応付けられて、等色対応関係が取得される。
【００９７】
図１２は、頂点ＰKと頂点ＰRとを結んだ入力基準線Ｋ−Ｒにおける等色対応関係と、入力基準線Ｋ−Ｒにおける近似対応関係が示されたグラフである。
【００９８】
等色対応線７０１Ｒは、横軸に変数ｔ、縦軸に変数ｔのときの入力基準線上の座標Ｐ（Ｒ，Ｇ，Ｂ）と対応付けられた出力基準線上の座標Ｐ’（Ｒ’，Ｇ’，Ｂ’）のＲ規格値（Ｒ’／２５５）をそれぞれ対応付けたグラフであり、同様に、等色対応線７０１Ｇは、横軸に変数ｔ、縦軸に座標Ｐ’のＧ規格値（Ｇ’／２５５）をそれぞれ対応付けたグラフであり、等色対応線７０１Ｂは、横軸に変数ｔ、縦軸に座標Ｐ’のＢ規格値（Ｂ’／２５５）をそれぞれ対応付けたグラフである。変数ｔは、上記式（６）’によって入力基準線上の座標Ｐ（Ｒ，Ｇ，Ｂ）を導くことができる値であるため、これら等色対応線７０１Ｒ，７０１Ｇ，７０１Ｂは、横軸に入力基準線上の座標Ｐ（Ｒ，Ｇ，Ｂ）、縦軸に出力基準線上の座標Ｐ’（Ｒ’，Ｇ’，Ｂ’）をそれぞれ対応付けたグラフと同義である。等色対応線７０１Ｒによると、変数ｔが大きくなるほど、つまり、入力基準線上の座標が頂点ＰKから遠ざかるほど、出力色空間上における座標の階調がつぶれてしまっていることがわかる。
【００９９】
続いて、入力基準線上の２点それぞれを出力色空間上に変換するときの、出力色空間上の目標座標がそれぞれ取得される。ここでは、図１１に示す入力色空間６００上の頂点ＰK（０，０，０）と頂点ＰR（２５５，０，０）とを結んだ入力基準線Ｋ−Ｒにおいて、それら頂点ＰK（０，０，０）および頂点ＰR（２５５，０，０）それぞれに対応する出力色空間の目標座標ＰK’（０，０，０）および目標座標ＰR’（２５５，０，０）が取得されたものとする。
【０１００】
図１２に示された点ＴＰKは、入力基準線Ｋ−Ｒ上の点ＰK（０，０，０）に相当するｔ＝０と、点ＰK（０，０，０）における出力色空間の目標座標ＰK’（０，０，０）のＲ規格値とが対応付けられた点であり（さらに、ｔ＝０と、目標座標ＰK’（０，０，０）のＧ規格値およびＢ規格値それぞれとが対応付けられた点でもある）、点ＴＰRは、入力基準線Ｋ−Ｒ上の点ＰR（２５５，０，０）に相当するｔ＝１と、点ＰR（２５５，０，０）における目標座標ＰR’（２５５，０，０）のＲ規格値とが対応付けられた点であり、同様に、点ＴＰGは、変数ｔ＝１と目標座標ＰR’のＧ規格値とが対応付けられた点であり、点ＴＰBは、変数ｔ＝１と目標座標ＰR’のＢ規格値とが対応付けられた点である。これら点ＴＰKおよび点ＴＰRを通り、等色対応線７０１Ｒに近似した近似対応線Ｆ＿Ｒ（ｔ）、点ＴＰKおよび点ＴＰGを通り、等色対応線７０１Ｇに近似した近似対応線Ｆ＿Ｇ（ｔ）、点ＴＰKおよび点ＴＰBを通り、等色対応線７０１Ｂに近似した近似対応線Ｆ＿Ｂ（ｔ）を生成する。近似対応線Ｆ＿Ｒ（ｔ）および近似対応線Ｆ＿Ｂ（ｔ）については、点ＴＰKと点ＴＰG（＝点ＴＰB）は共に出力規格値が０であり、
Ｆ＿Ｂ（ｔ）＝Ｆ＿Ｒ（ｔ）＝０
であることがわかる。以下では、近似対応線Ｆ＿Ｒ（ｔ）を算出する過程について説明する。点ＴＰKと点ＴＰRと結んだ基本直線Ｆ1Ｒ（ｔ）は、変数ｔを用いて、
Ｆ1Ｒ（ｔ）＝１．０×ｔ          ……（７）
と表わされる。近似対応線Ｆ＿Ｒ（ｔ）は、式（７）と変数ｔに関する式Ｆ2Ｒ（ｔ）を使って、
Ｆ＿Ｒ（ｔ）＝Ｆ1Ｒ（ｔ）＋Ｆ2Ｒ（ｔ）          ……（８）
と定義することができる。この近似対応線Ｆ＿Ｒ（ｔ）を所定の条件下で等色対応線７０１Ｒに近似させる。式（８）におけるＦ2Ｒ（ｔ）項としては、多項式やスプライン関数などが用いられる。近年、コンピュータで曲線を表現する方式のひとつであるペジュ曲線が適用されたＢ−スプライン関数が知られており、このＢ−スプライン関数を用いることによって、容易にＦ2Ｒ（ｔ）項を算出し、近似対応線Ｆ＿Ｒ（ｔ）を求めることができる。ここでは、Ｆ2Ｒ（ｔ）項として、一般的なスプライン関数を用いる方法について説明する。
【０１０１】
スプライン関数Ｓ（ｔ）は、ピーク位置
をｐとすると、
Ｓ（ｔ）＝｛ｔ3＋３ｔ2（ｔ−｜ｐ｜）＋３ｔ（ｔ−｜ｐ｜）2−３（ｔ−｜ｐ｜）3｝／６ｔ3  （｜ｐ｜≦ｔの場合）
Ｓ（ｔ）＝（２ｔ−｜ｐ｜）3／６ｔ3  （ｔ≦｜ｐ｜≦２ｔの場合）
Ｓ（ｔ）＝０  （２ｔ＜｜ｐ｜＜ｔの場合）
で表わされる関数であり、ピーク位置の異なる複数のスプライン関数を用意し、それらに相互に独立な重み係数を付加して和をとることによって、自在定規のように任意の滑らかな曲線を作成することができる。例えば、ｍ個のスプライン関数を用意して、そのｉ番目のスプライン関数をＳi（ｔ）、重み係数をｘiとすると、Ｒ色の近似対応線Ｆ＿Ｒ（ｔ）は、
Ｆ＿Ｒ（ｔ）＝Ｆ1Ｒ（ｔ）＋Ｆ2Ｒ（ｔ）＝｛１．０×ｔ｝＋｛ｘ1×Ｓ1（ｔ）＋ｘ2×Ｓ2（ｔ）＋…＋ｘm×Ｓm（ｔ）｝          ……（９）
と表わすことができる。この近似対応線Ｆ＿Ｒ（ｔ）を等色対応線７０１Ｒに近似させるためには、複数の変数ｔにおいて、
評価関数Ｑ（ｔ）＝Ｆ＿Ｒ（ｔ）−（等色対応線７０１Ｒにおいて、変数ｔと対応付けられたＲ規格値（Ｒ’／２５５））
を算出し、それら評価関数Ｑ（ｔ）の総和が最小になるように、式（９）の重み係数ｘiを求めて、近似対応線Ｆ＿Ｒ（ｔ）を決定すればよい。また、以下に示す条件１〜条件４を超えてしまったときには、評価関数Ｑ（ｔ）に大きなペナルティ値を加算することによって、条件１〜条件４を満たすような近似対応線Ｆ＿Ｒ（ｔ）を決定する。
【０１０２】
まず、第１の条件は、近似対応関係が単調変化関係という条件である。この第１の条件を満たすには、近似対応関係における変化率の符号が常に同じであればよい。この例では、式（６）’から算出される入力基準線上のＲ規格値（Ｆ1Ｒ（ｔ）＝１．０×ｔ）と、式（９）から算出される出力色空間の座標のＲ規格値（Ｆ＿Ｒ（ｔ））との対応関係において、変数ｔを０から１の間で所定間隔Δｔずつ変化させたときに、
変化率ΔＦ＿Ｒ／ΔＦ1Ｒ＝｛Ｆ＿Ｒ（ｔ＋Δｔ）−Ｆ＿Ｒ（ｔ）｝／｛（ｔ＋Δｔ）−ｔ｝          ……（１０）
の値が常に正であればよい。この第１の条件を満たすことによって、色変換後の画像に色の反転が生じる不具合を防ぐことができる。
【０１０３】
第２の条件は、近似対応関係における変化率が常に所定の変化率以下であるという条件である。この例では、変数ｔを０から１の間で所定間隔Δｔずつ変化させたときに、式（１０）に示す変化率ΔＦ＿Ｒ／ΔＦ1Ｒが常に所定の変化率（例えば、ガンマ係数など）以下であればよい。この第２の条件を満たすことによって、トーンジャンプや階調つぶれなどが軽減された高精度な色変換を行うことができる。
【０１０４】
第３の条件は、入力基準線上の座標と、近似対応関係においてその座標と対応付けられる出力色空間上の座標が共通色空間上に写像された座標との対応関係が単調変化関係であるという条件である。この例では、式（６）から算出される入力基準線上の座標ＲＧＢ（ｔ）と、式（９）から算出される出力色空間の座標ＲＧＢ（ｔ）’（ただし、Ｇ，Ｂ色の座標は０）を図８に示す出力プロファイルによってＬ*ａ*ｂ*色空間上に変換した座標Ｌ*ａ*ｂ*（ｔ）’との対応関係において、変数ｔを０から１の間で所定間隔Δｔずつ変化させたときに、
変化率ΔＬ*ａ*ｂ*’／ΔＲＧＢ＝｛Ｌ*ａ*ｂ*（ｔ＋Δｔ）’−Ｌ*ａ*ｂ*（ｔ）’｝／｛ＲＧＢ（ｔ＋Δｔ）−ＲＧＢ（ｔ）｝          ……（１１）
の値が常に正であればよい。ＲＧＢ色空間は、一般に、Ｌ*ａ*ｂ*色空間等に対して非線形に対応しているので、その非線形性に起因した色の反転を生じる恐れがあるが、この第３の条件を満たすことによって、色の反転などをより確実に防ぐことができる。
【０１０５】
また、第４の条件は、入力基準線上の座標と、近似対応関係においてその座標と対応付けられる出力色空間上の座標が共通色空間上に写像された座標との対応関係における変化率が常に所定値以下である。この例では、変数ｔを０から１の間で所定間隔Δｔずつ変化させたときに、式（１１）に示す変化率ΔＬ*ａ*ｂ*’／ΔＲＧＢが常に所定の変化率以下であればよい。この第４の条件を満たすことによって、トーンジャンプや階調つぶれなどを防ぐことができる。
【０１０６】
以上のような手順によって、重み係数ｘjを算出し、式（９）に示す近似対応線Ｆ＿Ｒ（ｔ）を決定する。
【０１０７】
これら近似対応線Ｆ＿Ｒ（ｔ），Ｆ＿Ｇ（ｔ），Ｆ＿Ｂ（ｔ）は、階調の反転や階調つぶれがなく、目標座標を通っており、図１２に示す等色対応線７０１Ｒ，７０１Ｇ，７０１Ｂに近似している。尚、これら近似対応線Ｆ＿Ｒ（ｔ），Ｆ＿Ｇ（ｔ），Ｆ＿Ｂ（ｔ）は、横軸に変数ｔ、縦軸に変数ｔにおける出力色空間の座標の規格値をそれぞれ対応付けたグラフである。変数ｔは、上記式（６）’によって入力色空間の座標Ｐ（Ｒ，Ｇ，Ｂ）を導くことができる値であるため、これら等色対応線Ｆ＿Ｒ（ｔ），Ｆ＿Ｇ（ｔ），Ｆ＿Ｂ（ｔ）は、横軸に入力基準線上の座標、縦軸に出力色空間の座標をそれぞれ対応付けたグラフと同義である。
【０１０８】
上述した図６のステップＳ１３およびステップＳ１４の処理によって、図１１に示す入力色空間６００の、入力基準線Ｋ−Ｒ以外の１１本の境界線における近似対応関係を生成する。
【０１０９】
全ての入力基準線における近似対応関係が生成されると、入力色空間の、入力基準線上の座標以外の座標と出力色空間の座標との対応関係が生成される（図６のステップＳ１５）。
【０１１０】
本実施形態においては、ステップＳ１４までの過程において生成された近似対応関係を使って、入力基準線上の座標以外の座標と出力色空間の座標との対応関係が求められる。この対応関係を求める方法としては、入力基準線外の座標を入力基準線上の座標を使って補間する方法（特開２００３−２７４２０６参照）や、上述したスプライン関数や多項式近似によって算出する方法や、モーフィングによって算出する方法などといった既知の方法を適用することができるので、ここではこれ以上の説明は省略する。
【０１１１】
以上のように生成された近似対応関係、および、ステップＳ１５において求められた、入力基準線上の座標以外の座標と出力色空間の座標との対応関係は、階調プロファイル４２１として定義される。この階調プロファイル４２１によると、入力基準線上の座標は階調性を保って高精度に出力色空間の座標に変換されるとともに、入力基準線上の座標以外の座標も、滑らかに繋がるように出力色空間の座標に変換される。しかし、この階調プロファイル４２１は、階調性が重視されたために、等色プロファイル４１１よりも等色性が劣る。図６のステップＳ１２からステップＳ１５における階調プロファイル４２１を生成する一連の過程は、本発明の色変換定義作成方法における色変換定義生成過程の一例に相当する。
【０１１２】
特色プロファイル４１１、および階調プロファイル４２０が生成されると、図５の色変換定義合成部４４０では、それら特色プロファイル４１１、および階調プロファイル４２０が合成されるが、その前に、オペレータによって、肌の色や空の色などといった画像における重要な色が指定される（図６のステップＳ１６）。
【０１１３】
パーソナルコンピュータ２０には、重要な色を指定するための設定用画面が予め用意されており、オペレータは、その設定用画面に従って「重要な色」を指定する。ここで指定された「重要な色」付近の領域については、等色性を重視した色変換処理が施される。この例では、肌の色が重要な色として指定されたものとする。指定された重要な色の情報は、領域部分指定部４３０から色変換定義合成部４４０に伝えられる。このステップＳ１６における重要な色を指定する過程は、本発明の色変換定義作成方法における領域部分指定過程の一例に相当する。
【０１１４】
重要な色の指定を受けると、図５の色変換定義合成部４４０では、特色プロファイル４１１、および階調プロファイル４２０が合成される（図６のステップＳ１７）。等色プロファイル４１１によって定義された等色座標変換Ｆ1、階調プロファイル４２１によって定義された階調座標変換Ｆ2、それらに付加される加重係数ｗ１，ｗ２を使って、合成後の色変換プロファイル４４１によって定義される合成座標変換Ｆ3は、
合成座標変換Ｆ3＝ｗ１×等色座標変換Ｆ1＋ｗ２×等色座標変換Ｆ2  ……  （１２）
と表わされる。
【０１１５】
図１３は、図１０にも示す共通入力ガマット、および共通出力ガマットの概念図である。
【０１１６】
ここで、Ｌ*ａ*ｂ*色空間においては、Ｌ*軸は明度にほぼ一致しており、ａ*軸は彩度にほぼ一致している。彩度（ａ*座標値）が比較的小さい内側領域部分Ｓ1は、共通入力ガマット５１１および共通出力ガマット５２１の共通領域部分であり、等色プロファイル４１１を使っても、階調性が保たれた色変換を行うことができる。しかし、彩度が比較的高く、内側領域部分Ｓ1よりも外側の外側領域部分Ｓ2については、共通入力ガマット５１１および共通出力ガマット５２１の境界近傍に位置し、等色プロファイル４１１を使って色変換を行うと、上述したクリッピングによって階調がつぶれてしまうなどという問題がある。したがって、外側領域部分Ｓ2は、階調性が保たれた階調プロファイル４２１を使って色変換を行うことが好ましい。
【０１１７】
以上のようなことを踏まえ、色変換定義合成部４４０において、等色プロファイル４１１と階調プロファイル４２１とを合成する際に付加される加重係数が算出される。本実施形態においては、入力色空間上の座標Ｐ（Ｒ，Ｇ，Ｂ）が表わす色の彩度に応じて、等色プロファイル４１１の加重係数ｗ１、階調プロファイル４２１の加重係数ｗ２が算出される。
【０１１８】
まず、入力色空間上の座標Ｐ（Ｒ，Ｇ，Ｂ）におけるＲ，Ｇ，Ｂ規格値の最大値ＭＡＸと最小値ＭＩＮを取得する。これら最大値ＭＡＸと最小値ＭＩＮとの差（ＤＩＦ＝ＭＡＸ−ＭＩＮ）が大きいほど、その座標Ｐが表わす色のグレー成分が小さく（彩度が高い）、図１３のＬ*ａ*ｂ*色空間のＬ*軸から遠くなる。また、差ＤＩＦが小さいほど、その座標Ｐが表わす色のグレー成分が多くなり（彩度が低い）、Ｌ*ａ*ｂ*色空間のＬ*軸に近づく。このことから、等色プロファイル４１１の加重係数ｗ１、階調プロファイル４２１の加重係数ｗ２を
加重係数ｗ１＝１−ｗ２
加重係数ｗ２＝ＤＩＦ2          ……（１３）
とし、上記式（１２）に代入する。式（１３）の加重係数ｗ１，ｗ２によると、内側領域部分Ｓ１のような低彩度領域部分は等色プロファイル４１１が優先して合成され、外側領域部分Ｓ２のような高彩度領域部分は階調プロファイル４２１が優先して合成される。
【０１１９】
また、図１３に示す、明度が比較的低い（Ｌ*値が小さい）グレーを表わす低明度グレー領域部分Ｓ3は、彩度が低いため、式（１３）の加重係数ｗ１，ｗ２によると等色プロファイル４１１の方が優先して合成される。しかし、明度が低く、暗いグレーの場合には、色味の違いが見た目にはほとんど認識できないため、等色性よりも階調性の方が重要となる。したがって、この低明度グレー領域部分Ｓ３における加重係数ｗ１，ｗ２は、階調プロファイル４２１の加重係数ｗ２が大きくなるように修正される。本実施形態においては、明度が２５％以上の場合には、等色プロファイル４１１の加重係数ｗ１を大きく、明度が２５％よりも小さい場合には、階調プロファイル４２１の加重係数ｗ２を大きくする。
【０１２０】
さらに、領域部分指定部４３０で指定された「重要な色」である肌色を表わす領域部分では、等色プロファイル４１１の加重係数ｗ１が大きくなるように修正される。
【０１２１】
図１４は、等色プロファイルによって定義された座標変換と、階調プロファイルによって定義された座標変換を示す図である。
【０１２２】
図１４は、横軸に彩度、縦軸に明度がそれぞれ対応付けられている。等色プロファイル４１１によって定義された等色座標変換Ｆ1は、色の等色性に優れているが、彩度が高い領域部分では階調がつぶれてしまっており、階調プロファイル４２１によって定義された階調座標変換Ｆ2は、等色座標変換Ｆ1よりも階調欠陥が少ないが、色の等色性が劣る。合成座標変換Ｆ3は、これら等色座標変換Ｆ1と階調座標変換Ｆ2を、上記のようにして決定された加重係数ｗ１，ｗ２を付加して合成したものである。合成座標変換Ｆ3は、低彩度領域では等色性が重視され、高彩度領域では、階調性が重視されている。また、合成座標変換Ｆ3は、暗いグレーに領域部分では階調性が優先され、「重要な色」を表わす肌色領域部分では優先性が重視されている。
【０１２３】
色変換定義合成部４４０は、合成座標変換Ｆ３を色変換プロファイル４４１として定義する。
【０１２４】
この図６のステップＳ１７におけるプロファイルを合成する過程は、本発明の色変換定義作成方法における色変換定義合成過程の一例に相当する。
【０１２５】
以上のようにして生成された色変換プロファイル４４１を用いることによって、高彩度領域部分などといった色表現領域の境界付近における階調つぶれなどを避けつつ、低彩度領域部分や重要な色の領域部分における等色性を保って座標変換を行うことができる。
【０１２６】
以上で、本発明の第１実施形態の説明を終了し、次に、本発明の第２実施形態について説明する。尚、重複を避けるため、以下では、第１実施形態との相違点に注目し、同じ要素については同じ符号を付して説明を省略する。
【０１２７】
図１５は、本発明の色変換定義作成プログラムの第２実施形態が記録されたＣＤ−ＲＯＭを示す概念図である。
【０１２８】
図１５に示す色変換定義作成プログラム３０１には、図４に示す第１実施形態の色変換定義作成プログラム３００における領域部分指定部３３０の替わりに、画像取得部３５０と、色割合取得部３６０とが備えられている。
【０１２９】
図１６は、図１５に示す色変換定義作成プログラム３０１を図１のパーソナルコンピュータ２０にインストールし、パーソナルコンピュータ２０を本発明の色変換定義作成装置の第２実施形態として動作させるときの色変換定義作成装置の機能ブロック図である。
【０１３０】
図１６に示す本実施形態の色変換定義作成装置４０１は、色変換定義取得部４１０、色変換定義生成部４２０、色変換定義合成部４４０、画像取得部４５０、および色割合取得部４６０を備えている。図５に示す第１実施形態の色変換定義作成装置４００では、実際に色変換を行う画像が取得される前に色変換プロファイル４４１が生成されたが、本実施形態の色変換定義作成装置４０１では、画像が取得され、その画像に合った色変換プロファイルが生成される。
【０１３１】
画像取得部４５０は、カラースキャナ１０で読み取られた入力画像データを取得する。この画像取得部４５０は、本発明の色変換定義作成装置における画像取得部の一例にあたる。取得された入力画像データは、色割合取得部４６０に送られる。
【０１３２】
色割合取得部４６０では、入力画像データが表わす画像の色の分布が解析され、その色の分布において、出力ガマットを食み出す色の割合が取得される。この色割合取得部４６０は、本発明の色変換定義作成装置における色割合取得部の一例に相当する。取得された色の割合は、色変換定義合成部４４０に送られる。
【０１３３】
以下では、図１７のフローチャートを使って、色変換定義作成方法の第２実施形態について説明する。
【０１３４】
本実施形態においても、まず、図６のステップＳ１１と同様にして、色変換定義取得部４１０で等色プロファイル４１１が取得される（図１７のステップＳ２１）。
【０１３５】
続いて、第１実施形態と同様に、色変換定義生成部４２０において、白黒点補正（図１７のステップＳ２２）、基準線取得（図１７のステップＳ２３）、近似等色線取得（図１７のステップＳ２４）、対応関係拡張（図１７のステップＳ２５）の各処理がなされ、階調プロファイル４２１が生成される。
【０１３６】
続いて、画像取得部４５０では、図１のカラースキャナ１０で得られた入力画像データが取得される（図１７のステップＳ２６）。このステップＳ２６における入力画像データが取得される過程は、本発明の色変換定義作成方法における画像取得過程の一例に相当する。
【０１３７】
入力画像データが取得されると、色割合取得部４６０では、入力画像データが表わす画像の色の分布が解析される（図１７のステップＳ２７）。
【０１３８】
図１８は、画像の色分布の例を示す図である。
【０１３９】
図１８では、画像の色分布Ｓ4が共通出力色空間５２１を食み出してしまっている。色割合取得部４６０は、この色分布Ｓ4のうち、共通出力色空間５２１を食み出す色Ｓ5の割合を算出する。図１７のステップＳ２７における色の割合を算出する過程は、本発明の色変換定義作成方法における色割合取得部の一例に相当する。
【０１４０】
画像の色の分布が取得され、出力ガマットから食み出してしまう色の割合が算出されると、色変換定義合成部４４０では、等色プロファイル４１１と階調プロファイル４２１とが合成される（図１７のステップＳ２８）。本実施形態では、上記式（１３）によって算出された加重係数ｗ１，ｗ２が、色割合取得部４６０で取得された色の割合が所定割合よりも大きい場合には、階調プロファイル４２１の加重係数ｗ２を大きくするように修正され、色の割合が所定割合以下の場合には、等色プロファイル４１１の加重係数ｗ１が大きくなるように修正される。修正後の加重平均ｗ１，ｗ２で等色プロファイル４１１と階調プロファイル４２１が合成されて、色変換プロファイル４４１が生成される。
【０１４１】
以上のようにして生成された色変換プロファイル４４１を用いることによって、出力ガマット内の色の割合が大きい画像は等色性を重視し、出力ガマット外の色の割合が大きい画像は階調性を重視して色変換を行うことができる。
【０１４２】
ここで、上記では、入力デバイスとしてカラースキャナを適用する例について説明したが、本発明にいう第１のデバイスは、カラースキャナやデジタルカメラなどといった、画像を入力して画像データを得る画像入力装置に限定されるものではなく、例えば、プリンタやＣＲＴディスプレイなどといった、画像データに基づいて画像を出力する画像出力装置であってもよい。本発明にいう第１の色空間についても、ＲＧＢ色空間に限らず、例えば、ＣＭＹＫ色空間などであってもよい。
【０１４３】
また、上記では、出力デバイスとしてカラープリンタを適用する例について説明したが、本発明にいう第２のデバイスは、電子写真方式やインクジェット方式のカラープリンタや、印刷機であっても良く、あるいは表示画面上に画像を表示するＣＲＴディスプレイ装置、プラズマディスプレイ装置などといった画像表示装置であってもよい。本発明にいう第２の色空間についても、ＲＧＢ色空間に限らず、例えば、ＣＭＹＫ色空間などであってもよい。
【０１４４】
また、上記では、ＲＧＢ色空間上に基準線を設定して、その基準線における座標変換を決定した後に基準線外の領域における座標変換を決定して階調プロファイルを生成する例について説明したが、本発明にいう第２の色変換定義は、第１の色変換定義よりも階調欠陥が少ないものであれば、その生成方法は問わない。例えば、本発明にいう色変換定義生成過程は、第１の色変換定義の一部を修正することによって、第２の色変換定義を生成する過程であってもよい。
【０１４５】
また、上記では、領域部分指定過程において、重要な色を指定する例について説明したが、本発明にいう領域部分指定過程は、色ではなく領域部分を直接指定するものであってもよい。また、領域部分指定過程で指定された領域部分において、第１および第２の色変換定義を合成する割合は、予めコンピュータ内に記憶された割合ではなく、オペレータによって指定された割合であってもよい。
【図面の簡単な説明】
【０１４６】
【図１】本発明の一実施形態が適用された画像入力−色変換−画像出力システムの全体構成図である。
【図２】図１に１つのブロックで示すパーソナルコンピュータの外観斜視図である。
【図３】図１のパーソナルコンピュータのハードウェア構成図である。
【図４】本発明の色変換定義作成プログラムの一実施形態が記憶されたＣＤ−ＲＯＭを示す概念図である。
【図５】色変換定義作成装置の機能ブロック図である。
【図６】図５の色変換定義作成装置によって色変換プロファイルが作成される一連の処理を示すフローチャートである。
【図７】入力プロファイルの概念図である。
【図８】出力プロファイルの概念図である。
【図９】等色プロファイルの概念図である。
【図１０】Ｌ*ａ*ｂ*空間におけるカラースキャナの色表現領域およびカラープリンタの色表現領域を示している。
【図１１】入力色空間（ＲＧＢ色空間）を示す模式図である。
【図１２】頂点ＰKと頂点ＰRとを結んだ入力基準線Ｋ−Ｒにおける等色対応関係と、入力基準線Ｋ−Ｒにおける近似対応関係が示されたグラフである。
【図１３】図１０にも示す共通入力ガマット、および共通出力ガマットの概念図である。
【図１４】等色プロファイルによって定義された座標変換と、階調プロファイルによって定義された座標変換を示す図である。
【図１５】本発明の色変換定義作成プログラムの第２実施形態が記録されたＣＤ−ＲＯＭを示す概念図である。
【図１６】本発明の色変換定義装置の第２実施形態の機能ブロック図である。
【図１７】本発明の色変換定義作成方法の第２実施形態のフローチャートである。
【図１８】画像の色分布の例を示す図である。
【符号の説明】
【０１４７】
１０    カラースキャナ
２０    パーソナルコンピュータ
２１    本体装置
２１ａ    ＦＤ装填口
２１ｂ    ＣＤ−ＲＯＭ装填口
２２ａ    表示画面
２２    画像表示装置
２３    キーボード
２４    マウス
２５    バス
１１    原稿画像
１１ａ    カラーパッチ画像
３１  プリント画像
３１ａ    カラーパッチ画像
２１１    ＣＰＵ
２１２    主メモリ
２１３    ハードディスク装置
２１４    ＦＤドライブ
２１５    ＣＤ−ＲＯＭドライブ
２１６    入力インタフェース
２１７    出力インタフェース
３０    カラープリンタ
１００    ＦＤ
１１０    ＣＤ−ＲＯＭ
３００，３０１    色変換定義作成プログラム
３１０    色変換定義取得部
３２０    色変換定義生成部
３３０    領域部分指定部
３４０    色変換定義合成部
３５０    画像取得部
３６０    色割合取得部
４００，４０１    色変換定義作成装置
４１０    色変換定義取得部
４２０    色変換定義生成部
４３０    領域部分指定部
４４０    色変換定義合成部
４５０    画像取得部
４６０    色割合取得部
６００    入力色空間
【図１】
2005318391.tif 000004
【図２】
2005318391.tif 000005
【図３】
2005318391.tif 000006
【図４】
2005318391.tif 000007
【図５】
2005318391.tif 000008
【図６】
2005318391.tif 000009
【図７】
2005318391.tif 000010
【図８】
2005318391.tif 000011
【図９】
2005318391.tif 000012
【図１０】
2005318391.tif 000013
【図１１】
2005318391.tif 000014
【図１２】
2005318391.tif 000015
【図１３】
2005318391.tif 000016
【図１４】
2005318391.tif 000017
【図１５】
2005318391.tif 000018
【図１６】
2005318391.tif 000019
【図１７】
2005318391.tif 000020
【図１８】
2005318391.tif 000021